(57)【要約】　【課題】被介護者等に不快な思いをさせることなく寝たままで着替えさせることができる介護服を提供すること。　【解決手段】略対称状の前身頃１１０と後身頃１２０が各々別体で構成され、該前見頃１１０と該後身頃１２０はいずれも上方向から下方向に向け斜めに形成されると共に、前記前身頃１１０と前記後身頃１２０を連結する連結手段１１１、１２１が前身頃１１０と後身頃１２０に各々設けられ、使用前の前記後身頃１２０と使用後の前記後身頃１２０をシーツに固定して、シーツ等の取替装置を用いて着替えさせる介護服１５０。【選択図】図５−１
2004033786.tif 000002
【特許請求の範囲】
【請求項１】
　略対称状の前身頃と後身頃が各々別体で構成され、該前見頃と該後身頃はいずれも上方向から下方向に向け斜めに形成されると共に、前記前身頃と前記後身頃を連結する連結手段が前身頃と後身頃に各々設けられ、使用前の前記後身頃と使用後の前記後身頃をシーツに固定して、ベッドの幅方向を跨ぐように対向配置される一対の側板と、両側部が前記側板に各々固着される板状の芯材と該芯材の外周に回転自在に券回されたベルトとからなり、横臥する被介護者等の背側を移動しながらシート等を布設するガイド部と、使用前のシーツ等と使用後のシーツ等のいずれか一方を各々巻回すると共に、券回されたシーツ等の上端とガイド部の下端との間にクリアランスを有するように前記ガイド部の下方かつベッドの前後方向に対向配置され、前記側板に軸支された一対の巻回ロールと、該巻回ロールの少なくともいずれか一方に設けられた巻回ロールの回転駆動手段とを具備するシーツ等の取替装置を用いて着替えさせることを特徴とする介護服。
【発明の詳細な説明】
【技術分野】
【０００１】
　本発明は、被介護者等がベッドに寝たままでシーツ等を取り替えることができるシーツ等の取替装置を用い、被介護者等を寝たままで着替えさせることができる介護服に関する。
【背景技術】
【０００２】
　従来、寝たきりで体を動かせない患者や被介護者（以下、被介護者等という）の着用する衣服を着替えさえることは容易ではなく、看護婦や介護者（以下、介護者等という）にとって極めて重労働であった。そのため、従来、簡便に着替えができるように工夫された衣服が種々提供されている（特許文献１及び特許文献２参照）。　
【特許文献１】特開平１１−１７２５０９号公報
【特許文献２】特開平８−１９９４１１号公報
【発明の開示】
【発明が解決しようとする課題】
【０００３】
　しかし、従来より提供されている簡便に着替えができるように工夫された衣服を寝たきりの被介護者等に着替えさせる場合には、着替えが簡便であるもののやはり介護者等は被介護者等の身体を動かしながら着替え作業を行わなければならなかったため、重労働であるばかりか作業が煩雑であった。
【０００４】
　本発明は、上記事情に鑑みなされたものであり、被介護者等を寝たままで着替えさせることができる介護服を提供することを課題とする。
【課題を解決するための手段】
【０００５】
　本発明者は、上記課題を解決するために鋭意検討し本発明に想到した。すなわち、本発明は、略対称状の前身頃と後身頃が各々別体で構成され、該前見頃と該後身頃はいずれも上方向から下方向に向け斜めに形成されると共に、前記前身頃と前記後身頃を連結する連結手段が前身頃と後身頃に各々設けられ、使用前の前記後身頃と使用後の前記後身頃をシーツに固定して、ベッドの幅方向を跨ぐように対向配置される一対の側板と、両側部が前記側板に各々固着される板状の芯材と該芯材の外周に回転自在に券回されたベルトとからなり、横臥する被介護者等の背側を移動しながらシート等を布設するガイド部と、使用前のシーツ等と使用後のシーツ等のいずれか一方を各々巻回すると共に、券回されたシーツ等の上端とガイド部の下端との間にクリアランスを有するように前記ガイド部の下方かつベッドの前後方向に対向配置され、前記側板に軸支された一対の巻回ロールと、該巻回ロールの少なくともいずれか一方に設けられた巻回ロールの回転駆動手段とを具備するシーツ等の取替装置を用いて取り替えることを特徴とする介護服に関する。
【０００６】
　上記構成の発明によれば、後身頃をシーツと共に取り替えられるので、被介護者等が寝たままの状態で介護服を着替えさせることができる。また、シーツ等の取替装置の移動に伴い上下面に凹凸のない平坦なガイド部が被介護者等の背側を移動しながらシーツ等を布設するので、横臥する被介護者等の背側に不快な凹凸感を与えることがなく、被介護者等が寝たままで円滑に介護服を着替えさせることができる。さらに、前見頃と後身頃がいずれも上方向から下方向に向け斜めに形成されるので、シーツ等の取替装置の券回ロールに券回される介護服の連結手段同士の重なり具合が少ないことから嵩高くならず、券回されたシーツ等の上端とガイド部の下端との間の幅（クリアランス）が小さくなり、ひいてはマットの凹み具合が少なくてすみ、シーツ等の取替装置の移動を円滑に行わせながら介護服を着替えさせることができる。
【発明の効果】
【０００７】
　本発明は上記のように構成されるため、次の効果を奏する。すなわち、本発明は、被介護者等が寝たままで介護服を着替えさせることができるので、介護者等に負担を与えることがなく、ひいては円滑な介護作業に資することができる。また、介護服の着替え作業が簡単に行えるので、頻回に介護服を着替えられ、被介護者等に快適感を与えることができる。また、シーツ等の取替装置の券回ロールに券回される介護服の連結手段同士の重なり具合が少なくなるので、券回されたシーツ等の上端とガイド部の下端との間の幅が小さくなり、より円滑にシーツ等の取替装置を移動させながら介護服を着替えさせることができる。
【発明を実施するための最良の形態】
【０００８】
　次いで、本発明を実施の形態により詳細に説明するが、本発明は以下の実施の形態に限定されるものではない。先ず、本実施形態に係る介護服に用いるシーツ等の取替装置を図面を参照しながら説明する。図１と図２は各々シーツ等の取替装置（以下、本装置という）５０を示す平面図と側面図であり、本装置５０はベッドの幅方向を跨ぐように配置される一対の側板１０、１１と、両側部がこの側板１０、１１に各々固着され、被介護者等の背側を移動しながらシーツ等を布設するガイド部２０と、側板１０、１１に軸支されベッドの前後方向に対向配置された一対の券回ローラ３０、３１とから構成される。
【０００９】
　一対の側板１０、１１は、図１〜図３に示すようにベッドの幅方向を跨ぐように配置され、側板１０、１１の上方にはガイド部２０が固着され、側板１０、１１の下方には一対の券回ローラ３０、３１が軸支される。ガイド部２０は、平面視矩形状の薄板からなる芯材２１とこの芯材２１の外周に回転自在に券回されたベルト２２とから構成されている。　芯材２１の前後端周縁は弧状に形成されると共に、芯材２１の外周に多数の回転ローラ２３が配設されており、これらの回転ローラ２３を介してベルト２２が券回されている。
【００１０】
　一対の券回ローラ３０、３１は側板１０、１１の前後方向に対向配置され、両者の端部は側板１０、１１に軸支されている。また、券回ロール３０、３１は図３に示すように、券回ロール３０、３１に巻き取られた状態のシーツＳ１及びＳ２の上端と案内部２０の下端との間にクリアランスＣができるように側板１０、１１に軸支されている。
【００１１】
　また、図４−１及び図４−２に示すように各券回ローラ３０、３１には、コイルバネ（図示省略）が装着されたヒンジ３３により回動自在に支持された複数の固定片３２が設けられており、固定片３２の開放端近傍の下部には突起３４が形成されている。また、突起３４が当接する券回ローラ３０、３１の外周面上には突起３４が嵌入される固定孔３５が穿設されている。そして、図４−１の状態から図４−２のように固定片３２を引き上げて、券回ローラ３０、３１と固定片３２との間にシーツＳ１、Ｓ２を挿入後、固定片３２を引き下ろせば、コイルバネに付勢された固定片３２の突起３４によりシーツＳ１、Ｓ２の一部は券回ローラ３０、３１の固定孔３５内に押し込まれ、さらに固定片３２に圧着されるのでシーツＳ１，Ｓ２の一端を券回ロール３０、３１に固定することができる。
【００１２】
　また、券回ローラ３１には、側板１０、１１の外側において把手３７が設けられた回転板３６が接続されており、この把手３７を操作して回転板３６を回転させることにより券回ローラ３１を回転させることができるようになっている。
【００１３】
　続いて、上記のように構成された本装置５０の使用方法について説明する。予め、一方の券回ローラ３０に使用前のシーツＳ１の一端が固定片３２により固定券回された本装置５０を被介護者等が横臥するベッド７０に配置する。そして、券回ローラ３０から繰り出した使用前のシーツＳ１の一端をガイド部２０の下部を経由してガイド部２０の上面に接触させながらベッド７０の前枠７１とマット７２との間に挿入固定する。次いで、ベッド７０に布設されている使用後のシーツＳ２を取り外し、その一端を券回ローラ３１の固定片３２で固定する。
【００１４】
　上記のようにして本装置５０の設定を終えたなら、回転板３６の把手３７を操作して回転板３６を反時計方向に回転させると、図３に示すように横臥する被介護者等の荷重により券回ローラ３０、３１がマット７２を凹ませ、券回ローラ３１により使用後のシーツＳ２が券回され、同時に券回ローラ３０により使用前のシーツＳ１がガイド部２０のベルト２２の移動に導かれながら布設されていく。そして、ガイド部２０の下端と券回ローラ３０、３１に券回されたシーツＳ１、Ｓ２の上端との間に各々クリアランスＣを有するため、本装置５０の移動に伴い被介護者等の背側を上下面が平坦で凹凸のないガイド部２０が移動し、被介護者等に凹凸感を与えることがない。
【００１５】
　なお、上記で説明したシーツ等の取替装置は、以下にように種々形態を変更できる。　
　（１）券回ローラにシーツ等を固定する手段は、券回ロールの外周面上とシーツに雌雄の面ファスナーを各々形成させて行ってもよい。
　（２）券回ローラをモータにより駆動させてもよい。
　（３）券回ローラの駆動のため、ウオーム機構を用いてもよい。
【００１６】
　以下、本実施形態に係る介護服（以下、本介護服という）１５０を図面を参照しながら説明する。図５−１は本介護服１５０の後身頃１２０を示す平面図で、図５−２は前身頃１１０を示す平面図である。　
【００１７】
　本介護服１５０は、前身頃１１０と後身頃１２０とが各々別体で形成されている。そして、前身頃１１０の内周には雄の面ファスナー１１１が縫着され、後身頃１２０内周には雌の面ファスナー１２１が縫着され、これら面ファスナー１１１、１２１が前身頃１１０と後身頃１２０を連結する連結手段となっている。
【００１８】
　また、前身頃１１０と後身頃１２０は略対称状に形成されており、いずれも上方から下方に向け斜めに形成されている。また、ベッドに布設されたシーツと接する後身頃１２０の裏面の下端と上端には、固定用の雌の面ファスナー１２２が縫着されており、対向する前記シーツには雄の面ファスナー（図示省略）が縫着されているため、面ファスナーを相互に連結させることによりシーツ等の取替装置の移動に先立ち、使用前の本介護服１５０の一端を固定しておくことができる。
【００１９】
　次いで、本実施形態に係る介護服１５０の使用方法について説明する。一方の券回ローラ３０に予め使用前の後身頃１２０が券回されたシーツ等の取替装置５０をベッドに設定する。次いで、使用後の後身頃１２０の一端を券回ローラ３１の固定片３２で固定する。　さらに、使用前の後身頃１２０を券回ローラ３０から繰り出し、後身頃１２０の裏面下端に縫着された固定用の雌の面ファスナー１２２とシーツに縫着された雄の面ファスナーとで後身頃１２０をシーツに固定する。そして、回転板３６が接続された券回ローラ３１の把手３７を操作して回転板３６を反時計回りに回転させれば、使用後の後身頃１２０は券回ローラ３１に券回されていき、他方、使用前の後身頃１２０は被介護者等の背側に布設されていく。この際、後身頃１２０は上方から下方に向けて斜めに形成されており、券回ローラ３０、３１に券回された後身頃１２０の面ファスナー１２１同士の重なり具合が少なくなり嵩高くなることがなく、券回された本介護服１５０の上端とガイド部２０の下端との間の幅（図３のクリアランスＣを参照）が小さくなり、ひいてはマットの凹み具合（図３のＨを参照）が少なくてすむので、シーツ等の取替装置５０の移動をより円滑に行わせながら本介護服１５０を着替えさせることができる。
【００２０】
　上記により、使用前の後身頃１２０が被介護者等の背側に布設されたら、シーツ等の取替装置５０をベッドから取り外す。そして、前身頃１１０を横臥する被介護者等の上から被せ、後身頃１２０と前身頃１１０の面ファスナー１２１、１１１により両者を連結する。
【００２１】
　このように、本介護服１５０によれば、シーツ等の取替装置５０を利用して被介護者等が寝たままで着替えさせることができる。
【００２２】
　本発明の介護服は、以下に例示するように種々形態を変更して具体化することができる。　
　（１）前身頃と後身頃の連結手段は、両者のいずれかに形成されるボタン孔とボタンとの連結により行ってもよい。　
【図面の簡単な説明】
【００２３】
【図１】実施形態に係る介護服に用いるシーツ等の取替装置の平面図である。
【図２】実施形態に係る介護服に用いるシーツ等の取替装置の側面図である。
【図３】実施形態に係る介護服に用いるシーツ等の取替装置の模式的な断面図である。
【図４−１】実施形態に係る介護服に用いるシーツ等の取替装置における券回ロールへのシーツの固定を説明する図で、固定片を閉じた状態を示す。
【図４−２】実施形態に係る介護服に用いるシーツ等の取替装置における券回ロールへのシーツの固定を説明する図で、固定片を開いた状態を示す。
【図５−１】実施形態に係る介護服の後身頃の平面図である。
【図５−２】実施形態に係る介護服の前身頃の平面図である。
【符号の説明】
【００２４】
　　１０、１１　　　　　側板
　　２０　　　　　　　　ガイド部　
　　２１　　　　　　　　芯材　
　　２２　　　　　　　　ベルト
　　２３　　　　　　　　回転ロール
　　３０、３１　　　　　券回ロール
　　３２　　　　　　　　固定片
　　３４　　　　　　　　突起
　　３５　　　　　　　　固定孔
　　５０　　　　　　　　シーツ等の取替装置　
　　１１０　　　　　　　前身頃
　　１１１　　　　　　　雄の面ファスナー
　　１２０　　　　　　　後身頃
　　１２１　　　　　　　雌の面ファスナー
　　１２２　　　　　　　固定用の雌の面ファスナー
　　１５０　　　　　　　介護服
【図１】
2004033786.tif 000003
【図２】
2004033786.tif 000004
【図３】
2004033786.tif 000005
【図４−１】
2004033786.tif 000006
【図４−２】
2004033786.tif 000007
【図５−１】
2004033786.tif 000008
【図５−２】
2004033786.tif 000009